【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
試料中の標的分析物を感知する装置であって、
近位端および遠位端を有する光導管と、
前記光導管の前記近位端における光学系であって、少なくとも１つの電磁エネルギー放出器および少なくとも１つの電磁エネルギー検出器を含む光学系と、
前記光導管の前記遠位端に光学的に近接した感知要素であって、少なくとも１種の標的分析物に結合するようにされた少なくとも１種の結合タンパク質と、前記結合タンパク質に付随する少なくとも１種のレポータ基で、前記結合タンパク質が前記標的分析物と結合するときに発光が変化するようにされたレポータ基と、
任意選択的に、少なくとも１種の基準基と、を含む感知要素と、
を具えたことを特徴とする装置。
【請求項２】
先端部をさらに具えたことを特徴とする請求項１に記載の装置。
【請求項３】
前記感知要素は前記先端部内に収容されることを特徴とする請求項２に記載の装置。
【請求項４】
前記感知要素は、前記先端部の内面に付着され、前記先端部は、前記光導管の前記遠位端に直接取り付けられることを特徴とする請求項３に記載の装置。
【請求項５】
前記感知要素は、前記光導管の前記遠位端に直接取り付けられることを特徴とする請求項１に記載の装置。
【請求項６】
１つまたは複数のコネクタをさらに具えたことを特徴とする請求項１に記載の装置。
【請求項７】
前記感知要素は、コネクタを介して前記光導管の前記遠位端に付着されることを特徴とする請求項６に記載の装置。
【請求項８】
前記感知要素は、ポリマー基質に閉じ込められるか、または付着されることを特徴とする請求項１に記載の装置。
【請求項９】
前記ポリマー基質は、前記光導管の前記遠位端に直接付着されることを特徴とする請求項８に記載の装置。
【請求項１０】
前記ポリマー基質は、前記先端部の内面に付着され、前記先端部は、前記光導管の前記遠位端に直接取り付けられることを特徴とする請求項８に記載の装置。
【請求項１１】
前記ポリマー基質は、先端部の内面に付着され、前記先端部は、前記光導管の前記遠位端に直接取り付けられたコネクタに直接取り付けられることを特徴とする請求項８に記載の装置。
【請求項１２】
前記感知要素は、ポリマー鎖に付着されることを特徴とする請求項１に記載の装置。
【請求項１３】
前記ポリマー鎖は、前記光導管の前記遠位端に付着されることを特徴とする請求項１２に記載の装置。
【請求項１４】
前記ポリマー鎖は、先端部の内面に付着され、前記先端部は、前記光導管の前記遠位端に直接取り付けられることを特徴とする請求項１２に記載の装置。
【請求項１５】
前記ポリマー鎖は、先端部の内面に付着され、前記先端部は、前記光導管の前記遠位端に直接取り付けられるコネクタに直接取り付けられることを特徴とする請求項１２に記載の装置。
【請求項１６】
前記光学系は、前記コネクタを介して前記光導管の前記近位端に取り付けられることを特徴とする請求項６に記載の装置。
【請求項１７】
前記感知要素は、コネクタを介して前記光導管の前記遠位端に付着され、前記光学系は、コネクタを介して前記光導管の前記近位端に取り付けられることを特徴とする請求項６に記載の装置。
【請求項１８】
先端部をさらに備え、前記先端部は、コネクタを介して前記光導管の前記遠位端に取り付けられることを特徴とする請求項１６または１７に記載の装置。
【請求項１９】
前記光導管は少なくとも１本の光ファイバを含むことを特徴とする請求項１に記載の装置。
【請求項２０】
前記電磁エネルギー放出器は、アークランプ、発光ダイオード、およびレーザダイオードからなる群から選択されることを特徴とする請求項１に記載の装置。
【請求項２１】
前記電磁エネルギー検出器は、フォトダイオード、光電子増倍管、または電荷結合素子であることを特徴とする請求項１に記載の装置。
【請求項２２】
前記光学系は、複数の波長を区別するように適合された光学要素をさらに備えることを特徴とする請求項１に記載の装置。
【請求項２３】
前記光学要素は、光学フィルタ、ダイクロイックコンポーネント、ホログラフィコンポーネント、またはこれらの組合せをさらに含むことを特徴とする請求項２２に記載の装置。
【請求項２４】
前記電磁エネルギー検出器は、前記レポータ基によって放出されるエネルギーを実質的に連続して検出するように適合されることを特徴とする請求項２１に記載の装置。
【請求項２５】
前記電磁エネルギー検出器は、前記レポータ基によって放出されるエネルギーを周期的に検出するように適合されることを特徴とする請求項２１に記載の装置。
【請求項２６】
前記光学系は、前記電磁エネルギー放出器からの信号を変調する電気的または光電子的な要素をさらに含むことを特徴とする請求項１に記載の装置。
【請求項２７】
前記光学系は、前記電磁エネルギー検出器が受け取った前記発光信号を変調する電気的または光電子的な要素をさらに含むことを特徴とする請求項１に記載の装置。
【請求項２８】
前記光学系は、前記発光信号の強度を測定するようにされたことを特徴とする請求項１に記載の装置。
【請求項２９】
前記光学系は、前記発光信号の波長を測定するようにされたことを特徴とする請求項１に記載の装置。
【請求項３０】
前記光学系は、前記発光信号の寿命を測定するようにされたことを特徴とする請求項１に記載の装置。
【請求項３１】
前記光学系は、前記発光信号の偏光を測定するようにされたことを特徴とする請求項１に記載の装置。
【請求項３２】
前記光学系は、前記レポータ基のエネルギー伝達効率を測定するようにされたことを特徴とする請求項１に記載の装置。
【請求項３３】
前記先端部は金属フレームをさらに含むことを特徴とする請求項２に記載の装置。
【請求項３４】
少なくとも１種の基準基はタンパク質に付随することを特徴とする請求項１に記載の装置。
【請求項３５】
前記感知要素はさらに、患者の皮膚内に、または患者の皮膚を貫通して挿入されるように適合されることを特徴とする請求項１に記載の装置。
【請求項３６】
少なくとも１種のレポータ基および少なくとも１種の基準基は、同じ波長で励起されることを特徴とする請求項１に記載の装置。
【請求項３７】
少なくとも１種のレポータ基および少なくとも１種の基準基は、異なる波長で励起されることを特徴とする請求項１に記載の装置。
【請求項３８】
少なくとも１種のレポータ基および少なくとも１種の基準基の発光は、異なる波長で検出されることを特徴とする請求項１に記載の装置。
【請求項３９】
少なくとも１種のレポータ基および少なくとも１種の基準基の発光は、同じ波長で検出されることを特徴とする請求項１に記載の装置。
【請求項４０】
前記レポータ基は１対の有機色素を含み、前記有機色素は、前記対間のエネルギー伝達効率が分析物の結合時に変化するように選択されることを特徴とする請求項１に記載の装置。
【請求項４１】
前記レポータ基は１対の融合タンパク質を含み、前記融合タンパク質は、前記対間のエネルギー伝達効率が分析物の結合時に変化するように選択されることを特徴とする請求項１に記載の装置。
【請求項４２】
前記レポータ基は有機色素および融合タンパク質を含み、前記有機色素および前記融合タンパク質は、これらの間のエネルギー伝達効率が分析物の結合時に変化するように選択されることを特徴とする請求項１に記載の装置。
【請求項４３】
試料中の標的分析物の濃度を感知することを特徴とする請求項１から４２のいずれかに記載の装置の使用。
【請求項４４】
試料中の標的分析物の濃度を感知するための請求項１から４２のいずれかに記載の装置の使用であって、前記標的分析物はグルコースであり、前記試料は血液サンプルであることを特徴とする装置の使用。
【請求項４５】
グルコースの濃度を感知する方法であって、血清を含む溶液に請求項１から４２のいずれかに記載の装置を挿入することと、前記血清を含む溶液中のグルコースの濃度を光学的に検査することとを含むことを特徴とする方法。
【請求項４６】
グルコースの濃度を感知する方法であって、請求項１から４２のいずれかに記載の装置を患者の皮膚に貫入させることと、前記患者の血液中のグルコースの濃度を光学的に検査することを含むこととを特徴とする方法。
【請求項４７】
グルコースの濃度を周期的に感知することを特徴とする請求項４５または４６に記載の方法。
【請求項４８】
グルコースの濃度を連続的に感知することを特徴とする請求項４５または４６に記載の方法。